(57)【要約】【課題】  電源ボタン押下のみで携帯端末の電源をＯＮすることが出来ないようにする充電と連動した電源ロック機能付き携帯端末を提供する。【解決手段】  携帯端末１は、電源制御部１０３を経由して蓄電した電力をマンマシンインターフェース１０８と端末処理部１０９へ供給する電池１０１、前記電池１０１の電池残量を監視する電池残量監視部１０２、前記携帯端末１の電源ON／OFFを制御する電源制御部１０３、ＡＣアダプタ２から電力を受電し前記電池１０１へ電力を送電する充電端子１０４、電源ボタン１０５、ダイヤルキー１０６、前記携帯端末１の電源ロックを解除するために押下された前記ダイヤルキー１０６が予め電源ロック解除キー記憶部に登録されているダイヤルキーと同じかを判定する電源ロック解除判定部１０７、マンマシンインターフェース１０８、端末処理部１０９から構成される。【選択図】    図１
2014075713.tif 000002
【特許請求の範囲】
【請求項１】
電池残量無し直前の電源ＯＦＦ後の充電後に、電源ボタン押下を検出した後、ダイヤルキー押下を検出し、前記検出したダイヤルキーと予め記憶しているダイヤルキーが一致しない場合に電源をＯＮせずに使用不可能な状態を継続する携帯端末であって、
電池残量を監視する電池残量監視手段と、電源ボタン押下検出後に検出したダイヤルキーと予め記憶しているダイヤルキーを比較し同じであった場合に電源ロック解除の判定をする電源ロック解除判定手段と、前記電源ロック解除判定手段が判定した結果から当該携帯端末の電源を制御する電源制御手段と、を有し、
前記電池残量監視手段が当該携帯端末の電池残量無し直前を検出した場合に、前記電源制御手段が当該携帯端末の電源をＯＦＦし、前記電池残量監視手段が当該携帯端末の電池の充電を検出した後に、電源ボタンの押下を検出し、その後ダイヤルキーの押下を検出した場合に、当該検出したダイヤルキーと予め記憶しているダイヤルキーを比較し、不一致の場合、当該携帯端末の電源をＯＮせずに当該携帯端末を使用不可能な状態を継続し、一致の場合、当該携帯端末の電源をＯＮして使用可能な状態にすることを特徴とする充電と連動した電源ロック機能付き携帯端末。
【発明の詳細な説明】
【技術分野】
【０００１】
本発明は、充電と連動した電源ロック機能を有する携帯端末に関する。
【背景技術】
【０００２】
特許文献１には、電子マネー機能を持つＩＣカードを内蔵した携帯端末において、充電後に電源ＯＮするとＩＣカードの利用をロックして、ロック中を表示する技術がある。しかしながら、特許文献１の技術では、携帯端末の電池残量無し直前の電源ＯＦＦ後の充電後、悪意ある者が何らかの方法で解読した暗証番号を入力されてしまうと、ロックを解除し電子マネーが使用されるという欠点がある。
【先行技術文献】
【特許文献】
【０００３】
【特許文献１】特開２００８−２６９０１９号公報
【発明の概要】
【発明が解決しようとする課題】
【０００４】
そこで、本発明の課題は、携帯端末の電池残量無し直前の電源ＯＦＦ後の充電後、携帯端末の電源をＯＮする場合、通常の操作である電源ボタン押下のみで携帯端末の電源をＯＮすることが出来ないようにする技術を提供することにある。
【課題を解決するための手段】
【０００５】
上記課題を解決するために、請求項１記載の発明は、電池残量無し直前の電源ＯＦＦ後の充電後に、電源ボタン押下を検出した後、ダイヤルキー押下を検出し、前記検出したダイヤルキーと予め記憶しているダイヤルキーが一致しない場合に電源をＯＮせずに使用不可能な状態を継続する携帯端末であって、電池残量を監視する電池残量監視手段と、電源ボタン押下検出後に検出したダイヤルキーと予め記憶しているダイヤルキーを比較し同じであった場合に電源ロック解除の判定をする電源ロック解除判定手段と、前記電源ロック解除判定手段が判定した結果から当該携帯端末の電源を制御する電源制御手段と、を有し、前記電池残量監視手段が当該携帯端末の電池残量無し直前を検出した場合に、前記電源制御手段が当該携帯端末の電源をＯＦＦし、前記電池残量監視手段が当該携帯端末の電池の充電を検出した後に、電源ボタンの押下を検出し、その後ダイヤルキーの押下を検出した場合に、当該検出したダイヤルキーと予め記憶しているダイヤルキーを比較し、不一致の場合、当該携帯端末の電源をＯＮせずに当該携帯端末を使用不可能な状態を継続し、一致の場合、当該携帯端末の電源をＯＮして使用可能な状態にすることを特徴とする。
【発明の効果】
【０００６】
本発明によれば、携帯端末の電池残量無し直前の電源ＯＦＦ後の充電後に、携帯端末の電源をＯＮする場合、通常の操作である電源ボタン押下のみで携帯端末の電源をＯＮすることが出来ないようにすることによって携帯端末の悪用を未然に防ぐことが出来る。
【図面の簡単な説明】
【０００７】
【図１】本発明の携帯端末のブロック構成図
【図２】本発明の携帯端末の動作フローチャート図
【発明を実施するための形態】
【０００８】
以下、本発明の実施形態について説明する。図１は、本発明の携帯端末１のブロック構成図である。前記携帯端末１が携帯電話である場合を例に説明する。
【０００９】
携帯端末１は、充電端子１０４（後述）から電力を受電すると蓄電し、電源制御部１０３（後述）を経由して蓄電した電力をマンマシンインターフェース１０８（後述）と端末処理部１０９（後述）へ供給する電池１０１、前記電池１０１の電池残量を監視する電池残量監視部１０２、前記携帯端末１の電源ON／OFFを制御する電源制御部１０３、ＡＣアダプタ２（後述）から電力を受電し前記電池１０１へ電力を送電する充電端子１０４、前記携帯端末１の操作者が前記携帯端末１の電源をＯＮするために押下する電源ボタン１０５、前記携帯端末１の操作者が前記携帯端末１から電話発信する際に押下するダイヤルキー１０６、前記携帯端末１の電源ロックを解除するために押下された前記ダイヤルキー１０６が予め電源ロック解除キー記憶部（図示せず）に登録されているダイヤルキー（例えば、ダイヤルキー３）と合っているか否かを判定する電源ロック解除判定部１０７、前記携帯端末１の操作者が操作するキーや操作者が操作する際に見るＬＣＤ（Ｌｉｑｕｉｄ  Ｃｒｙｓｔａｌ  Ｄｉｓｐｌａｙ）画面であるマンマシンインターフェース１０８、前記携帯端末１が備える機能（例えば、電話機能）を処理する端末処理部１０９から構成される。
【００１０】
ＡＣアダプタ２は、外部電源（図示せず）と前記携帯端末１を接続し前記携帯端末１へ電力を供給する。
【００１１】
携帯端末１の詳細な動作フローについて説明する。図２は、本発明の携帯端末１の充電と連動した電源ロック機能に係る動作フローチャート図であり、本フローは電源が投入された状態でスタートする。
【００１２】
前記電源ロック解除キー記憶部（図示せず）に登録されているダイヤルキーは、前記電池１０１の電池残量無し直前の電源ＯＦＦ後の充電後に、前記携帯端末１が使用出来ない状態から使用出来る状態へと状態遷移させるダイヤルキーである。
【００１３】
前記携帯端末１の所有者が当該携帯端末を外出先に置き忘れ、そのまま放置した状態が続き、当該携帯端末の電池残量が無し直前になり当該携帯端末自身が電源ロック（電源ＯＦＦ）したあとに当該携帯端末の所有者ではない者が、当該携帯端末の無断使用を試み、当該携帯端末の電池残量が無くなったと考え、当該携帯端末を充電し、当該携帯端末の電源をＯＮする場合に  当該携帯端末の電源ボタンの押下後に電源をＯＮした状態に遷移させるダイヤルキー押下が必要であることを知らず、電源ロック解除出来ない場合の動作フローを説明する。
【００１４】
前記電池残量監視部１０２が、前記電池１０１の電池残量が無し直前であることを検出した場合（Ｓ２０１，ＹＥＳ）、前記電源制御部１０３は電池残量無し直前検知フラグをセットし（Ｓ２０２）、電源ロック（電源ＯＦＦ）する（Ｓ２０４）。当該携帯端末１の所有者ではない者が、当該携帯端末１を無断使用するために、電源ロック（電源ＯＦＦ）状態の前記携帯端末１の充電を行い、前記電池残量監視部１０２が前記電池１０１の電池残量が残量無し直前から増えた充電状態を検出した場合（Ｓ２０５，ＹＥＳ）、前記電源制御部１０３は前記電池残量無し直前検知フラグがセットされているかを検出し（Ｓ２０６）、前記フラグがセットされている場合（Ｓ２０６，ＹＥＳ）、前記携帯端末１は前記電源ボタン１０５の押下待ち状態になる（Ｓ２０７）。前記電源ボタン１０５の押下を検出した場合（Ｓ２０７，ＹＥＳ）、電源ロック解除キーとして予め前記電源ロック解除キー記憶部（図示せず）に登録されている「ダイヤルキー３」の押下待ち状態になる（Ｓ２０８）。
【００１５】
当該携帯端末１の所有者ではない者は、電源をＯＮするために前記電源ボタン１０５押下以外に電源ロック解除キーとして予め登録されている「ダイヤルキー３」の押下が必要であることを知らないため、電源ロック解除キーである「ダイヤルキー３」が押下されず、その結果、キー押下を検出せず（Ｓ２０８，ＮＯ）、前記電源制御部１０３は電源ロック状態（電源ＯＦＦ）を継続する（Ｓ２１２）。
【００１６】
Ｓ２０８におけるキー押下検出待ち状態は、Ｓ２０７における前記電源ボタン１０５押下検出後、「ダイヤルキー３」押下待ちのタイマをスタートし（図示せず）、前記タイマの満了まで（例えば１秒間）継続する。
【００１７】
次に前記携帯端末１の所有者が当該携帯端末を放置し、当該携帯端末の電池残量が無し直前になり当該携帯端末自身が電源ロック（電源ＯＦＦ）したあとに当該携帯端末の所有者が、当該携帯端末を充電し、前記電源ボタン１０５の押下後にダイヤルキーを押下し、電源ロックを解除する場合の動作フローを説明する。
【００１８】
Ｓ２０７までは、前記電源ロック解除出来ない場合の動作フローと同じ処理である。当該携帯端末１の所有者は、電源をＯＮするために前記電源ボタン１０５押下以外に電源ロック解除キーとして予め登録している「ダイヤルキー３」の押下が必要であることを知っているため、電源ロック解除キーである「ダイヤルキー３」を押下し、その結果、ダイヤルキー押下を検出し（Ｓ２０８，ＹＥＳ）、前記電源ロック解除判定部１０７は、検出した当該ダイヤルキーと前記電源ロック解除キー記憶部（図示せず）が記憶しているダイヤルキー「ダイヤルキー３」と同じか比較し（Ｓ２０９）、比較の結果同じであった場合（Ｓ２０９，ＹＥＳ）、前記電源制御部１０３は当該携帯端末の電源ロック状態を解除（電源ＯＮ）し（Ｓ２１０）、前記電源制御部１０３は電池残量無し直前検知フラグをクリアする（Ｓ２１１）。
【００１９】
なお、放置された前記携帯端末１を善意ある者が拾得した場合、（Ｓ２０８，ＮＯ）において、当該携帯端末の所有者へ当該携帯端末を拾得したことの連絡を促すために、前記マンマシンインターフェース１０８に「本機はロックされています。なお本機の持ち主の連絡先は１２３４５６です。」を表示し、電池残量がある間、当該携帯端末の操作が出来ない状態を継続しても良い。前記１２３４５６は、予め登録してある当該携帯端末の所有者の自宅電話番号である。
【００２０】
なお、前記マンマシンインターフェース１０８に表示する内容は自由に設定変更可能であり、表示する連絡先は前記携帯端末１の所有者の自宅電話番号に限らず、前記携帯端末１の所有者の勤務先電話番号、その他の場所の電話番号、メールアドレスでも良い。
【００２１】
なお、前記電源ロック解除キー記憶部（図示せず）に登録するダイヤルキーはダイヤルキー１個に限らない。複数のダイヤルキーまたは１個のその他のボタンまたは複数のその他のボタンでも良い。
【００２２】
なお、前記携帯端末１は、携帯電話に限らない。ＰＤＡ（Ｐｅｒｓｏｎａｌ  Ｄｉｇｉｔａｌ  Ａｓｓｉｓｔａｎｔ）または携帯型コンピュータでも良く、その他の携帯型の機器でも良い。
【００２３】
なお、図示しないが、前記電源制御部１０３による電源ロック／電源ロック解除に関わらず、前記電池残量監視部１０２、前記電源ボタン１０５、前記ダイヤルキー１０６、前記電源ロック解除判定部１０７の電力は常に供給しているものとする。
【００２４】
以上説明した通り、本発明によれば、携帯端末の電池残量無し直前の電源ＯＦＦ後の充電後、携帯端末の電源をＯＮする場合、通常の操作である電源ボタン押下のみで携帯端末の電源をＯＮすることが出来ないようにすることが出来る、充電と連動した電源ロック機能付き携帯端末を提供できるという利点がある。
【００２５】
ところで、以上の実施形態において、前記ダイヤルキー１０６を使用して電源ロック解除を行っているが、前記ダイヤルキー１０６の代わりに識別情報でも良い。前記識別情報は、前記携帯端末１の専用ＡＣアダプタ２に添付されているバーコード、前記携帯端末１の所有者の顔画像、その他の生体情報でも良い。
【００２６】
前記識別情報を電源ロック解除に用いる場合、前記ダイヤルキー１０６の代わりにカメラ（図示せず）、前記電源ロック解除キー記憶部（図示せず）の代わりに電源ロック解除識別情報記憶部（図示せず）でも良い。前記ダイヤルキー１０６からのキー入力の代わりに前記カメラ（図示せず）からの識別情報を入力しても良く、生体情報を識別情報として使用する場合にはセンサ（図示せず）から入力しても良い。また、前記ダイヤルキー１０６からのキー入力の代わりに電源ボタン１０５の押下パターンを検出するようにしてもよい。
【符号の説明】
【００２７】
１…携帯端末、２…ＡＣアダプタ、
１０１…電池、１０２…電池残量監視部、１０３…電源制御部、１０４…充電端子、
１０５…電源ボタン、１０６…ダイヤルキー、１０７…電源ロック解除判定部、
１０８…マンマシンインターフェース、１０９…端末処理部
【図１】
2014075713.tif 000003
【図２】
2014075713.tif 000004